(57)【要約】【課題】電源を取ることができなくなった場合でも、テント内を照らすことができる携帯用照明器具を提供すること。【解決手段】  筒状の本体部と、前記本体部の一端に位置する電球と、前記本体部に形成された前記電球を覆う電球カバーと、を有する携帯用照明器具において、前記電球は、ＬＥＤであること、前記本体部は、ＡＣ/ＤＣアダプタと、電池用充電回路と、二次電池と、ＤＣ/ＤＣコンバータと、コントロールスイッチと、を有すること、前記電球カバーは、筒状の形状であり前記本体部にスライド可能に形成されていること、前記電球カバーを前記本体部から遠い位置に移動することで前記ＬＥＤの光が収束し、前記電球カバーを前記本体部から近い位置に移動することで前記ＬＥＤの光が拡散するものである。【選択図】  図１
2015095318.tif 000002
【特許請求の範囲】
【請求項１】
筒状の本体部と、前記本体部の一端に位置する電球と、前記本体部に形成された前記電球を覆う電球カバーと、を有するテント内で使用する携帯用照明器具において、
前記電球は、ＬＥＤであること、
前記本体部は、ＡＣ/ＤＣアダプタと、電池用充電回路と、二次電池と、ＤＣ/ＤＣコンバータと、コントロールスイッチと、を有すること、
前記ＡＣ/ＤＣアダプタが通電状態あり、かつ、前記二次電池がフル充電状態にないときに、前記電池用充電回路は前記二次電池へと電気を流すこと、
前記ＡＣ/ＤＣアダプタが通電状態あり、かつ、前記二次電池がフル充電状態にあるときに、前記電池用充電回路が前記二次電池へ電気を流さないこと、
前記ＡＣ/ＤＣアダプタが非通電状態にあるとき、前記ＬＥＤは前記二次電池の電力により点灯すること、
を特徴とする携帯用照明器具。
【請求項２】
請求項１に記載する携帯用照明器具において、
前記電球カバーは、筒状の形状であり前記本体部にスライド可能に形成されていること、
前記電球カバーを前記本体部から遠い位置に移動することで前記ＬＥＤの光が収束し光の方向性を有すること、前記電球カバーを前記本体部から近い位置に移動することで前記ＬＥＤの光が拡散しテント内全域を照射すること、
を特徴とする携帯用照明器具。
【請求項３】
請求項１又は請求項２に記載する携帯用照明器具において、
前記本体部の本体部外周及び前記電球カバーのカバー外周には、筒状に対して同軸方向に複数の溝が形成されていること、
を特徴とする携帯用照明器具。
【請求項４】
請求項１乃至請求項３に記載する携帯用照明器具において、
前記本体部に略Ｕ字形状の取手部が取付部材により固定されていること、
前記取手部は前記取付部材により任意の場所で固定することができること、
を特徴とする携帯用照明器具。
【請求項５】
請求項１乃至請求項４に記載する携帯用照明器具において、
前記電球カバーは、前記本体部に形成されたＯリングにより任意の場所で固定することができること、
を特徴とする携帯用照明器具。
【発明の詳細な説明】
【技術分野】
【０００１】
本発明は、筒状の本体部と、前記本体部の一端に位置する電球と、前記本体部に形成された前記電球を覆う電球カバーと、を有する携帯用照明器具に関する。
【背景技術】
【０００２】
一般に、外で行われるイベント、キャンプ等で使用されるテント内においては、持ち運びが可能な携帯用照明器具が使われている。
従来から使われている携帯用照明器具は、外部のＤＣアダプタから電源を取り、電灯を付けることでテント内を照らしている。
【先行技術文献】
【特許文献】
【０００３】
【特許文献１】実用新案登録第３０７９８８２号
【発明の概要】
【発明が解決しようとする課題】
【０００４】
しかしながら、従来技術には、以下の問題があった。
すなわち、外部のＤＣアダプタから電源を取ることができない事態になった場合、例えば、電気を供給することができない、災害時などでは、テント内を照らす電灯がなくなるため問題となる。
【０００５】
そこで、本発明は、上記問題点を解決するためになされたものであり、その目的は電源を取ることができなくなった場合でも、テント内を照らすことができる携帯用照明器具を提供することを目的とする。
【課題を解決するための手段】
【０００６】
上記目的を達成するために、本発明の一態様における携帯用照明器具は、以下の構成を有する。
（１）筒状の本体部と、前記本体部の一端に位置する電球と、前記本体部に形成された前記電球を覆う電球カバーと、を有するテント内で使用する携帯用照明器具において、前記電球は、ＬＥＤであること、前記本体部は、ＡＣ/ＤＣアダプタと、電池用充電回路と、二次電池と、ＤＣ/ＤＣコンバータと、コントロールスイッチと、を有すること、前記ＡＣ/ＤＣアダプタが通電状態あり、かつ、前記二次電池がフル充電状態にないときに、前記電池用充電回路は前記二次電池へと電気を流すこと、前記ＡＣ/ＤＣアダプタが通電状態あり、かつ、前記二次電池がフル充電状態にあるときに、前記電池用充電回路が前記二次電池へ電気を流さないこと、前記ＡＣ/ＤＣアダプタが非通電状態にあるとき、前記ＬＥＤは前記二次電池の電力により点灯すること、を特徴とする。
【０００７】
（２）（１）に記載する携帯用照明器具において、前記電球カバーは、筒状の形状であり前記本体部にスライド可能に形成されていること、前記電球カバーを前記本体部から遠い位置に移動することで前記ＬＥＤの光が収束し光の方向性を有すること、前記電球カバーを前記本体部から近い位置に移動することで前記ＬＥＤの光が拡散しテント内全域を照射すること、が好ましい。
【０００８】
（３）（１）又は（２）に記載する携帯用照明器具において、前記本体部の本体部外周及び前記電球カバーのカバー外周には、筒状に対して同軸方向に複数の溝が形成されていること、が好ましい。
【０００９】
（４）（１）乃至（３）に記載する携帯用照明器具において、前記本体部に略Ｕ字形状の取手部が取付部材により固定されていること、前記取手部は前記取付部材により任意の場所で固定することができること、が好ましい。
【００１０】
（５）（１）乃至（４）に記載する携帯用照明器具において、前記電球カバーは、前記本体部に形成されたＯリングにより任意の場所で固定することができること、が好ましい。
【発明の効果】
【００１１】
上記携帯用照明器具の作用及び効果について説明する。
（１）本体部は、ＡＣ/ＤＣアダプタと、電池用充電回路と、二次電池と、ＤＣ/ＤＣコンバータと、コントロールスイッチと、を有すること、前記ＡＣ/ＤＣアダプタが通電状態あり、かつ、前記二次電池がフル充電状態にないときに、前記電池用充電回路は前記二次電池へと電気を流すこと、前記ＡＣ/ＤＣアダプタが通電状態あり、かつ、前記二次電池がフル充電状態にあるときに、前記電池用充電回路が前記二次電池へ電気を流さないこと、前記ＡＣ/ＤＣアダプタが非通電状態にあるとき、前記ＬＥＤは前記二次電池の電力により点灯することにより、電気が供給されているときには、二次電池に電池を充電しながら、ＬＥＤを点灯させることができる。また、電気が供給されなくなった場合には、蓄電された二次電池によりＬＥＤを点灯させることができる。そのため、電気が供給されない停電時に使用することができる。さらに、外に持ち運び懐中電灯として使用することができる。
【００１２】
（２）前記電球カバーは、筒状の形状であり前記本体部にスライド可能に形成されていること、前記電球カバーを前記本体部から遠い位置に移動することで前記ＬＥＤの光が収束し光の方向性を有すること、前記電球カバーを前記本体部から近い位置に移動することで前記ＬＥＤの光が拡散しテント内全域を照射することができる。そのため、光の幅を調整することができる。光の幅を調整することができることにより、室内と室外とで使い分けることができる。
【００１３】
（３）筒状に対して同軸方向に複数の溝が形成されていることにより、携帯用照明器具が高い位置から落ちた場合にも衝撃を溝が吸収することができる。そのため、耐久性を高くすることができる。
【００１４】
（４）本体部に略Ｕ字形状の取手部が取付部材により固定されていること、前記取手部は前記取付部材により任意の場所で固定することができる。そのため、使用者が室内と室外とで使い分ける時に持ちやすい位置に取手部を移動させることができる。
【００１５】
（５）電球カバーは、前記本体部に形成されたＯリングにより任意の場所で固定することができる。そのため、光の幅を調整することができる。光の幅を調整することができることにより、室内と室外とで使い分けることができる。
【図面の簡単な説明】
【００１６】
【図１】本発明に係る携帯用照明器具１の外観上方斜視図である。
【図２】本発明に係る携帯用照明器具１の下面図である。
【図３】本発明に係る携帯用照明器具１の上面図である。
【図４】本発明に係る携帯用照明器具１の側面図（ズーム０ｍｍ）である。
【図５】本発明に係る携帯用照明器具１の側面図（ズーム１５ｍｍ）である。
【図６】本発明に係る携帯用照明器具１の側面図（ズーム３０ｍｍ）である。
【図７】本発明に係る携帯用照明器具１の立脚状態の外観上方斜視図である。
【図８】本発明に係る携帯用照明器具１の外観下方斜視図である。
【図９】本発明に係る携帯用照明器具１の分解斜視図である。
【図１０】本発明に係る携帯用照明器具１のシステム図である。
【発明を実施するための形態】
【００１７】
次に、本発明に係る携帯用照明器具の一実施の形態について図面を参照して説明する。
【００１８】
＜携帯用照明器具の全体構成＞
図１に、携帯用照明器具１の外観上方斜視図を示す。図２に、携帯用照明器具１の下面図を示す。図３に、携帯用照明器具１の上面図を示す。図４に、携帯用照明器具１の側面図（ズーム０ｍｍ）を示す。図５に、携帯用照明器具１の側面図（ズーム１５ｍｍ）を示す。図６に、携帯用照明器具１の側面図（ズーム３０ｍｍ）を示す。図７に、携帯用照明器具１の立脚状態の外観上方斜視図を示す。図８に、携帯用照明器具１の外観下方斜視図を示す。図９に、携帯用照明器具１の分解斜視図を示す。図１０に、携帯用照明器具１のシステム図を示す。
【００１９】
図１に示すように、携帯用照明器具１は、筒状の本体部１０と本体部１０に形成されたＬＥＤ５３を覆う電球カバー５０を有する。
【００２０】
図４に示すように、円筒状の本体部１０には、Ｕ字形状の取手部１３が形成されている。
取手部１３の端部１３Ａは、固定ネジ１５により本体部１０に固定されている。固定ネジ１５を使用することにより、取手部１３を任意の位置で固定することができる。そのため、室内又は室外で使う場合に位置を変えることで、使用者が任意の場所で位置決めすることができる。
【００２１】
具体的には、図１に示すように取手部１３を本体部１０と直線上の位置に固定させることで使用者が携帯用照明器具１を持つことができる。なお、取手部１３は、本体部１０と垂直方向に位置させると、使用者が持ちやすくなる。
図４に示す状態で、凹部１３Ｂに対してロープ等を通す。それにより、電球カバー５０を下方向にして吊るすことができる。
【００２２】
図２に示すように、本体部１０の下面には、電源１６及びＤＣアダプタ１７が形成されている。図４に示すように、電源１６及びＤＣアダプタ１７は、本体部１０内に収まるように形成されている。そのため、図７に示すように、底部１０Ａを床等に置いた場合に携帯用照明器具１がフラットな状態となり安定させることができる。
【００２３】
本体部１０の本体部外周１０Ｂには、筒状に対して同軸方向に複数の溝形状の溝１０Ｃが等間隔で形成されている。溝１０Ｃが形成されていることにより、溝１０Ｃにより衝撃が分散されるため衝撃に強くなる。そのため、携帯用照明器具１が吊り下げた状態から落下した場合であっても、衝撃により壊れることを防止することができる。さらに、溝１０Ｃが形成されていることにより、使用者が掴んだ際に滑りにくい。
【００２４】
図９に示すように、本体部１０は、ボディ部２０、二次電池３０、コントロールパネル３１、本体カバー４０、及び取手部１３により構成されている。
ボディ部２０内に二次電池３０及びコントロールパネル３１が収納され、収納された状態で、ボディ部２０の一端部２０Ａに本体カバー４０が被せられる。
本体カバー４０には、二次電池３０の形状に沿った二次電池固定部４１が形成されている。そのため、二次電池３０を二次電池固定部４１に固定した状態で、ボディ部２０内に挿入することができるため使用者は容易に二次電池３０を装着することができる。
【００２５】
ボディ部２０の他端部２０Ｂには、ＬＥＤブラケット５２、ＬＥＤ５３、光拡散装置５４が固定されている。
図９に示すように、ボディ部２０の外周には、弾性部材であるＯリング２１が固定されている。
【００２６】
図９に示すように、電球カバー５０は、ズームカバー５１、ズームレンズ５５、カラーレンズ５９及びフロントガバー５６により構成される。ズームカバー５１の端部５１Ｂにズームレンズ５５、カラーレンズ５９及びフロントカバー５６が固定されている。ズームカバー５１の内周面には本体当接部５１Ａが形成されている。
カラーレンズ５９は、赤色、透明色等に付替えをすることができる。また、図９に示す電球カバー２００のように、異なるカラーレンズ２０２を有する別品として持つこともできる。別品の電球カバー２００として異なるカラーレンズを有することにより、カラーレンズのみを有する場合よりも紛失する可能性を低くすることができる。紛失する可能性が低くなるのは、電球カバー２００は大きいためである。
【００２７】
携帯用照明器具１の組立法方法を図９を用いて説明する。図９に示すように、ボディ部２０の他端部２０Ｂからズームカバー５１を挿入する。ズームカバー５１は、Ｏリング２１の弾性力により抵抗がある状態となる。そのため、ズームカバー５１がボディ部２０から容易に抜けることがない。さらに、Ｏリング２１の抵抗により、ズームカバー５１は、ボディ部２０の途中で停止させることができる。
【００２８】
ボディ部２０にズームカバー５１を挿入した後に、ボディ部２０の他端部２０Ｂに対してＬＥＤブラケット５２、ＬＥＤ５３、光拡散装置５４を固定する。それにより、ストッパー５１ＡがＬＥＤブラケット５２のツバ部５２Ａに当接するため、電球カバー５０は本体部１０から外れなくなる。それにより、ズームカバー５１は、ストッパー５１ＡがＬＥＤブラケット５２のツバ部５２Ａと当接する位置から、ズームカバー５１の本体当接部５１Ａがボディ部２０のカバー当接部２０Ｃに当接するまでの距離を移動することができる。本実施形態においては、その移動距離は３０ｍｍである。
次いで、ズームカバー５１に対して、レンズ５５及びフロントカバー５６を固定する。
【００２９】
具体的には、ズームカバー５１を含む電球カバー５０は、図４に示す状態から図６に示す状態にまで移動することができる。図４に示す状態ではＬＥＤ５３とレンズ５５の位置が近いため、ＬＥＤ５３から照射された電気は妨げられることなく広範囲に広がる。それに対して、図６に示す状態ではＬＥＤ５３とレンズ５５の位置は遠く、ＬＥＤ５３から照射された電気は、ズームカバー５１の内筒を通ってレンズ５５から外部に照射される。図６に示す状態では、照射された電気はズームカバー５１の内筒を通るため、直線的な光となる。
【００３０】
図５に示す状態は、電球カバー５０がＯリング２１の弾性力により途中で停止された状態である。図５に示す状態では、ＬＥＤ５３から照射された電気はズームカバー５１の内筒を通るため図６に示す状態ほど直線的ではないが、図４に示す状態と比較すると直線的な光となる。
【００３１】
図４乃至図６に示すように、電球カバー５０を移動させることで光の幅を調整することができることにより、テント内で使用する場合と、外で使用する場合とで使い分けをすることができる。テント内で使用する場合には、光が広い範囲で照射されるほうが室内を照らすことができるため、図４に示す状態で使用する。他方、外で使用する場合には、光の光量を強くするためにも、光を集中させることが望ましい。そのため、外で使用する場合には、図６で示す状態で使用する。
【００３２】
電球カバー５０のカバー外周５０Ｂには、筒状に対して同軸方向に複数の溝形状の溝５０Ｃが等間隔で形成されている。溝５０Ｃが形成されていることにより、溝５０Ｃにより衝撃が分散されるため衝撃に強くなる。そのため、携帯用照明器具１が吊り下げた状態から落下した場合であっても、衝撃により壊れることを防止することができる。さらに、溝５０Ｃが形成されていることにより、使用者が掴んだ際に滑りにくい。
【００３３】
図１０に示すように、コントロールパネル３１には、電池用充電回路３２と、ＤＣ/ＤＣコンバータ３４と、コントロールスイッチ３５と、を有する。コントロールパネル３１には、二次電池３０、ＬＥＤ５３及びＡＣ／ＤＣアダプタ１７が連通している。
ＡＣ／ＤＣアダプタ１７は、ＡＣ１００〜２４０Ｖの電流をＤＣ１５Ｖ、２．０Ａに変換することができる装置である。電池用充電回路３２は、ＤＣ１５Ｖ、２．０Ａを１２．６Ｖ、１．０Ａに変換することができる回路である。二次電池３０は１１．１Ｖ、６．６Ａｈにより充電される。ＤＣ/ＤＣコンバータ３４は、ＤＣ１５ＶをＤＣ１１Ｖに変換することができる装置である。コントロールスイッチ３５はＤＣ１１Ｖの電流又は二次電池３０の電流を切換え、ＬＥＤ５３へと流すことができる装置である。コントロールスイッチ３５は、ＬＥＤ５３と接続し、ＬＥＤ５３のＯＮ/ＯＦＦをコントロールする。
【００３４】
ＡＣ/ＤＣアダプタ１７が通電状態あり、かつ、二次電池３０がフル充電状態にないときに、電池用充電回路３２は二次電池３０へと電気を流す。二次電池３０が充電されフル充電状態になった時を、電池用充電回路３２が判断し二次電池３０がフル充電状態になると二次電池３０への接続状態を解除し、二次電池３０へと電気が流れない状態にする。それにより、二次電池３０が過剰充電となることを防止し、二次電池３０の電池寿命を伸ばし、さらに、加熱を防止することができる。
【００３５】
ＡＣ/ＤＣアダプタ１７が通電状態であるとき、ＬＥＤ５３はＤＣ/ＤＣコンバータ３４及びコントロールスイッチ３５を介した電気により点灯される。
【００３６】
ＡＣ/ＤＣアダプタ１７が非通電状態にあるとき、ＬＥＤ５３は電池用充電回路３２及び二次電池３０を介した電気により点灯される。
非通電状態にあるときにでも、二次電池３０によりＬＥＤ５３を点灯させることができるため、停電時に携帯用照明器具１を使用することができる。さらに、携帯用照明器具１をＡＣ/ＤＣアダプタ１７と切り離して使用することができるため、懐中電灯としても使用することができる。
【００３７】
尚、本発明は、上記実施の形態に限定されることなく、発明の趣旨を逸脱することのない範囲で色々な応用が可能である。
例えば、本実施形態においては、取手部１３を設けたが取手部１３を設けず、フックを取り付けることもできる。フックを取り付けることで、フックにロープ等を通して携帯用照明器具を吊るすことができる。
【符号の説明】
【００３８】
１        携帯用照明器具
１０      本体部
１７      ＡＣ／ＤＣアダプタ
３０      二次電池
３２      電池用回路
３４      ＤＣ／ＤＣコンバータ
３５      コントロールスイッチ
５０      電球カバー
５３      ＬＥＤ
【図１】
2015095318.tif 000003
【図２】
2015095318.tif 000004
【図３】
2015095318.tif 000005
【図４】
2015095318.tif 000006
【図５】
2015095318.tif 000007
【図６】
2015095318.tif 000008
【図７】
2015095318.tif 000009
【図８】
2015095318.tif 000010
【図９】
2015095318.tif 000011
【図１０】
2015095318.tif 000012